(57)【要約】      （修正有）【課題】送電線等の鉄塔の上部において、カラス等の巣を除去する作業を行うに際し、極めて簡単な手順により袋体を広げて巣の近くに固定し、小枝や塵埃等が散乱することなく袋体に巣を収納して除去することができ、作業人数の削減と作業時間の短縮を実現し、巣の除去作業の効率化を飛躍的に向上させた営巣除去袋を提供する。【解決手段】本発明に係る営巣除去袋は、カラス等の巣Ｑを収納する袋体１の受け口１ａに、巣Ｑを形成している小枝や塵埃等の散乱を防止する受けシート２を取り付けている。また、受けシート２は、切り込み部３を介して分離・接合が可能である。さらに、受けシート２の切り込み部３に、面ファスナー４ａ，４ｂを取り付けている。また、袋体１の受け口１ａと受けシート２に、紐状の弾性部材７を介して複数の固定用掛止具７を取り付けている。【選択図】図３
2008029265.tif 000002
【特許請求の範囲】
【請求項１】
カラス等の巣を収納する袋体の受け口に、巣を形成している小枝や塵埃等の散乱を防止する受けシートを取り付けたことを特徴とする営巣除去袋。
【請求項２】
受けシートは、縦方向に分離可能である請求項１に記載の営巣除去袋。
【請求項３】
受けシートは、切り込み部を介して分離・接合が可能である請求項１または２に記載の営巣除去袋。
【請求項４】
受けシートの切り込み部に、面ファスナーを取り付けた請求項３に記載の営巣除去袋。
【請求項５】
袋体の受け口と受けシートに、複数の固定用掛止具を取り付けた請求項１乃至４のいずれかに記載の営巣除去袋。
【請求項６】
固定用掛止具は、紐状の弾性部材を介して袋体の受け口と受けシートに取り付けられている請求項５に記載の営巣除去袋。
【発明の詳細な説明】
【技術分野】
【０００１】
本発明は、送電線等の鉄塔の上部に作られた、例えば、カラス等の巣を収納して除去するために使用される営巣除去袋に関するものである。
【背景技術】
【０００２】
近年、市街地に作られるカラス等の巣は、増加傾向にあり、送電線の鉄塔等に対する営巣行為も例外ではない。
【０００３】
一方、鳥の多くは、繁殖時期に営巣を行い、雛の巣立ちとともに巣を放棄する習性があり、放棄された巣は、その後の風雨により簡単に崩壊し、落下してしまうため、市街地に位置する送電線の鉄塔等の上部に作られた巣は、公衆安全・電気保安上からもこれらの巣を除去する必要がある。
【０００４】
また、カラスの巣は、図６・図７に示すように、巣本体である内装部は、直径約５０ｃｍ〜７０ｃｍ程度の大きさであり、巣本体を支える外装部は、１ｍを超えるものも少なくない。巣の構造は、一般的に内装部は毛、羽、ビニール、土等で構成され、外装部は小枝、ハンガー等の針金材で構成されている。
【０００５】
このため、従来においては、送電線等の鉄塔の上部にカラスの巣が作られると、この巣を除去するために、図５に示すような巣を回収する袋体を作業員が背負って鉄塔に昇り、この袋体に巣を収納してカラス等の巣を除去していた。
【０００６】
この袋体は、開口部の周囲に締め紐を取り付けている。さらに、袋体の周壁に背負ベルトを取り付けている。
【特許文献１】特になし
【発明の開示】
【発明が解決しようとする課題】
【０００７】
しかしながら、従来のように、送電線等の鉄塔の上部に作られた巣を除去する作業に、図５に示すような袋体を用いた場合、当該袋体の開口部の径が約４０ｃｍ程度であり、大きな巣をそのまま収納できないことから、巣を袋体に入れるときに、巣の内装部と外装部を分離したり、また、外装部を潰してしまう必要があり、その際、巣の内・外装部を形成している小枝や塵埃等がバラバラになり、鉄塔周辺の広い範囲に散乱していた。
【０００８】
カラス等の巣は、小枝等を組み立てるようにしてその外装部を形成し、さらにその外装部に織り込むようにして内装部が形成されていることから、外装部と内装部を分離させると、その組み立て状態が簡単に解れてしまう。さらに、巣を移動させる際に生じる振動や、袋体の開口部へ巣が接触することによっても、巣の組み立て状態が解れ、小枝や塵埃等がバラバラになってしまうのである。
【０００９】
特に、鉄塔の角部分等に巣が位置しているときには、複数の塔部材が入り組んでいるため、袋体を巣に近づけることが困難であることから、除去時における巣の移動量が大きくなり、散乱する小枝や塵埃等の量が増加してしまう。
【００１０】
また、送電線等の鉄塔においては、複数の塔部材が入り組んでいるため、鉄塔の所定の位置に袋体を配置することが極めて困難な場合が多い。
【００１１】
そのため、鉄塔の上部においては、袋体を広げるための作業員が必要となり、作業効率が悪く、しかも、人件費も嵩んでいた。具体的には、鉄塔の上部において、２人の作業員が巣の近くで袋体を広げ、他の１人の作業員が巣を移動させて袋体に巣を落とし込んでいた。この際、地上には監視員が１名配置されることから、合計４名の１班体制により全体の作業が行われていたのである。
【００１２】
そこで、本発明は如上のような従来存した諸事情に鑑み創出されたもので、送電線等の鉄塔の上部において、カラス等の巣を除去する作業を行うに際し、極めて簡単な手順により袋体を広げて巣の近くに固定し、小枝や塵埃等が散乱することなく袋体に巣を収納して除去することができ、作業人数の削減と作業時間の短縮を実現し、巣の除去作業の効率化を飛躍的に向上させた営巣除去袋を提供することを目的とする。
【課題を解決するための手段】
【００１３】
本発明に係る営巣除去袋は、カラス等の巣を収納する袋体の受け口に、巣を形成している小枝や塵埃等の散乱を防止する受けシートを取り付けたことで、上述した課題を解決した。
【００１４】
また、受けシートは、縦方向に分離可能であることで、同じく上述した課題を解決した。
【００１５】
さらに、受けシートは、切り込み部を介して分離・接合が可能であることで、同じく上述した課題を解決した。
【００１６】
また、受けシートの切り込み部に、面ファスナーを取り付けたことで、同じく上述した課題を解決した。
【００１７】
加えて、袋体の受け口と受けシートに、複数の固定用掛止具を取り付けたことで、同じく上述した課題を解決した。
【００１８】
また、固定用掛止具は、紐状の弾性部材を介して袋体の受け口と受けシートに取り付けられていることで、同じく上述した課題を解決した。
【発明の効果】
【００１９】
本発明に係る営巣除去袋は、カラス等の巣を収納する袋体の受け口に、巣を形成している小枝や塵埃等の散乱を防止する受けシートを取り付けたことから、バラバラになった小枝や塵埃等を受けシートにより受け止めてその散乱を防止しつつ、巣を除去することができる。
【００２０】
具体的には、送電線等の鉄塔の上部に作られた巣を除去するために巣を移動させた際に、巣を形成している小枝等の組み立て状態が解れ、小枝や塵埃等がバラバラになってしまった場合であっても、受けシートによりこれらの小枝や塵埃等を受け止めて、鉄塔の周辺に散乱してしまう事態の発生を防止できる。そのため、近隣の住民から苦情が寄せられることもない。
【００２１】
また、受けシートは、縦方向に分離可能であることから、複数の塔部材が入り組んでいる場所であっても、この塔部材を挟み込むようにして受けシートを巣の近くに配置できる。
【００２２】
すなわち、受けシートが分離できないと、複数の塔部材により邪魔されて、受けシートの展開が困難となる場所において、受けシートの分離状態・接合状態を適宜選択し、受けシートを展開できるようにしたのである。
【００２３】
さらに、受けシートは、切り込み部を介して分離・接合が可能であることから、配置する鉄塔の状況に応じて受けシートの分離状態・接合状態を適宜選択し、小枝や塵埃等が鉄塔の周辺に散乱することのない好ましい環境を即座に作ることができる。
【００２４】
また、受けシートの切り込み部に、面ファスナーを取り付けたことから、受けシートの分離・接合を簡単に行うことができる。そのため、作業員が一人で受けシートを分離させたり、接合することができる。
【００２５】
この他、袋体の受け口と受けシートに、複数の固定用掛止具を取り付けたことから、これらの固定用掛止具を塔部材に引っ掛けて、袋体と受けシートを巣の近くに配置して固定することができる。
【００２６】
また、固定用掛止具は、紐状の弾性部材を介して袋体の受け口と受けシートに取り付けられていることから、鉄塔の角部分に巣が位置している場所や、複数の塔部材が入り組んでいる場所等においても、弾性部材を介して固定用掛止具を塔部材に引っ掛けて、袋体と受けシートを巣の近くに配置して固定することができる。
【００２７】
さらに、紐状の弾性部材により、袋体を固定した後であっても、受け口の前後左右等の微妙な位置調整が可能となる。
【００２８】
この様に、本発明に係る営巣除去袋を使用すれば、作業人数の削減と作業時間の短縮を実現し、巣の除去作業の効率化を飛躍的に向上させることができる。すなわち、本発明に係る営巣除去袋を使用すれば、１人の作業員により、袋体と受けシートを巣の近くに配置して固定することができるようになり、従来のように、２人の作業員が巣の近くで袋体を広げる必要がなくなる。そのため、従来の１班４名体制から、地上監視員１名、塔上作業員１名の合計２名による１班２名体制にすることができるのである。
【発明を実施するための最良の形態】
【００２９】
以下に、本発明を実施するための最良の形態を、図面を参照して説明する。
【００３０】
本発明に係る営巣除去袋は、送電線等の鉄塔Ｐの上部に作られた、例えば、カラス等の巣Ｑを収納して除去するために使用されるものであり、所定の袋体１を主な構成要素としている。この袋体１は、図１に示すように、例えば、矩形状に形成されている。
【００３１】
この袋体１の開口部である受け口１ａには、その一辺に受けシート２が縫着して取り付けられている。受けシート２は、カラス等の巣Ｑを形成している小枝や塵埃等の散乱を防止するためのもので、矩形帯状に形成されている。
【００３２】
尚、袋体１の形状は、図１に示す矩形状に限定されることはなく、巣Ｑを収納できるものであれば、どのような形状であっても差し支えない。また、受けシート２の形状も、小枝や塵埃等を確実に受け止めることができれば、どのような形状であっても差し支えない。また、受けシート２の枚数は、受け口１ａの一方向である一枚に限定されるものではなく、二枚、三枚、四枚等、受け口１ａの複数方向に受けシート２を取り付けても差し支えない。さらに、受けシート２は、カラス等の巣Ｑを形成している小枝や塵埃等を確実に受け止めるため、袋体１の開口部よりも大きく形成されていても差し支えない。
【００３３】
そして、受けシート２の中央部分の縦方向に沿って、切り込み部３を設けている。この切り込み部３により、受けシート２は、縦方向に分離可能になっている。
【００３４】
また、この切り込み部３に沿って、面ファスナー４ａ，４ｂを取り付けている。この面ファスナー４ａ，４ｂは、切り込み部３を形成する一方の受けシート２の側縁に雄面ファスナー４ａが布設され、他方の受けシート２の側縁に雌面ファスナー４ｂが付設されている。これらの面ファスナー４ａ，４ｂは、小片状に形成され、切り込み部３に沿って配置されている。
【００３５】
これらの面ファスナー４ａ，４ｂにより、鉄塔Ｐを構成する複数の塔部材が入り組んでいる場所であっても、分離した受けシート２により塔部材の一部を挟み込み、切り込み部３に沿って布設した面ファスナー４ａ，４ｂ同士を貼着することで、受けシート２の展開が可能となる。
【００３６】
この他、図１に示すように、袋体１の受け口１ａにおける四隅に、鳩目５が設けられている。また、受け口１ａにおける周縁部にも、等間隔に複数の鳩目５が設けられている。さらに、受けシート２における先端部寄りの外側縁にも、複数の鳩目５が設けられている。
【００３７】
そして、袋体１の受け口１ａにおける四隅の鳩目５には、ゴム紐等の弾性部材６を介して、固定用掛止具７が取り付けられている。また、受けシート２の鳩目５にも、弾性部材６を介して、固定用掛止具７が取り付けられている。これらの固定用掛止具７は、鉤状に形成されている。
【００３８】
尚、固定用掛止具７として、例えば、ナスカンやカラビナ等を用いても差し支えない。
【００３９】
一方、受け口１ａにおける周縁部に等間隔に設けられた鳩目５には、締め紐８を通している。この締め紐８は、複数の鳩目５を介して、受け口１ａの外側と内側を交互に通過するように配置されている。
【００４０】
次に、以上のように構成された本発明の最良の形態について、使用の一例を説明する。
【００４１】
まず、鉄塔Ｐの上部において、図２に示すように、袋体１を巣Ｑの下側に配置する。このとき、巣Ｑの直下に袋体１を配置すると、巣Ｑが乗っている塔部材が邪魔になって袋体１の開口部に巣Ｑを落とし込むことができないため、巣Ｑの直下から少しずれた位置に開口部がくるように袋体１を配置する。
【００４２】
一方、受けシート２は、巣Ｑを手で持ったときや、巣Ｑを移動させているとき、バラバラになった小枝や塵埃等を確実に受け止めるため、巣Ｑの直下まで展開する。すなわち、受けシート２は、巣Ｑの直下から袋体１の開口部に至るまでの部分をカバーするのである。
【００４３】
このような状態で、複数の固定用掛止具７を鉄塔Ｐの塔部材に掛架して、袋体１と受けシート２を固定する。このとき、受けシート２は、一体化しておくことで作業が容易となる。
【００４４】
そして、作業員が巣Ｑを手で持って移動させ、下方に位置する袋体１の受け口１ａへ巣Ｑを落とし込む。この際、袋体１が弾性部材６を介して固定されているため、その弾性を利用して袋体１の位置の微調整を行うことで、袋体１への巣Ｑの落とし込みがさらに容易となる。
【００４５】
最後に、締め紐８を引っ張って締結することにより、袋体１の受け口１ａを閉じるのである。
【００４６】
一方、図３に示すように、袋体１と受けシート２を固定するのに適した位置に、別の塔部材がある場合（具体的には、袋体１の開口部に隣接して縦方向に伸びる塔部材があるとき）、受けシート２を分離させ、この塔部材をかわすことができる。
【００４７】
そして、分離した受けシート２により縦方向に伸びる塔部材を包み込むようにし、受けシート２の先端部側に布設した面ファスナー４ａ，４ｂ同士を貼着することにより、巣Ｑの直下に受けシート２を展開できる。
【００４８】
このような状態で、複数の固定用掛止具７を鉄塔Ｐの塔部材に掛架して、袋体１と受けシート２を固定する。
【００４９】
そして、作業員が巣Ｑを手で持って移動させ、下方に位置する袋体１の受け口１ａへ巣Ｑを落とし込み、最後に、締め紐８を引っ張って締結することにより、袋体１の受け口１ａを閉じるのである。
【００５０】
この他、図４には、本発明を他の除去袋に応用した例を示している。
【００５１】
この袋体１は、例えば、エステル・帆布等の材質により、円筒袋状に形成されている。また、袋体１は、背負ベルトを備えている。さらに、受けシート２は、袋体１における円形の受け口１ａの外周囲全体から外方へ向けて延設され、全体で略矩形状となるように形成されている。
【００５２】
そして、受けシート２には、複数個所(図４に示す受けシートでは４箇所)に切り込み部３が設けられ、この切り込み部３により、受けシート２は分離可能になっている。
【００５３】
また、この切り込み部３に沿って、面ファスナー４ａ，４ｂを布設しており、受けシート２の分離・接合が容易に行えるようになっている。さらに、受けシート２の周縁部には、複数の鳩目５が設けられ、この鳩目５に弾性部材６を介して固定用掛止具７が取り付けられている。この固定用掛止具７も、鉤状に形成されている。
【産業上の利用可能性】
【００５４】
本発明に係る営巣除去袋は、送電線の鉄塔に限らず、各種の鉄塔において、カラス等の巣を除去する袋として、広く利用することができる。
【図面の簡単な説明】
【００５５】
【図１】袋体の開口部である受け口に、分離可能な受けシートが取り付けられている状態を示す全体斜視図である。
【図２】巣の下方に袋体の受け口がくるように袋体を配置し、受けシートを展開した状態を示す斜視図である。
【図３】巣の下方に袋体の受け口がくるように袋体を配置し、分離した受けシートにより塔部材を包み込むようにして受けシートを展開した状態を示す斜視図である。
【図４】分離可能な受けシートを、他の除去袋に応用した例を示す全体斜視図である。
【図５】従来における巣を回収する袋体の構成を示す全体斜視図である。
【図６】鉄塔において、巣が造られている状態の一例を示す斜視図である。
【図７】鉄塔において、巣が造られている状態の一例を示す斜視図である。
【符号の説明】
【００５６】
Ｐ…鉄塔
Ｑ…営巣
１…袋体
１ａ…受け口
２…受けシート
３…切り込み部
４ａ…雄側面ファスナー
４ｂ…雌側面ファスナー
５…鳩目
６…弾性部材
７…固定用掛止具
８…締め紐
【図１】
2008029265.tif 000003
【図２】
2008029265.tif 000004
【図３】
2008029265.tif 000005
【図４】
2008029265.tif 000006
【図５】
2008029265.tif 000007
【図６】
2008029265.tif 000008
【図７】
2008029265.tif 000009